【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
共同アカウントのための承認方法であって、クライアントソフトウェアに適用され、前記共同アカウントはＮ人の共同管理者によって共同管理され、Ｎは１より大きい自然数であり：
前記共同アカウントのユーザ側認証パラメータを取得するステップであって、前記共同アカウントの前記ユーザ側認証パラメータは、ネットワーク側認証パラメータと同一又は対応しており、前記共同アカウントのための操作許可に対して認証を実行するために用いられる、前記取得するステップ（１１０）と；
前記ユーザ側認証パラメータをＮ個の部分に分割するステップと；
各部分に基づいて、対応する共同管理認証パラメータを生成するステップと；
各共同管理者により管理されるデバイスに、各共同管理認証パラメータを書き込むステップ（１２０）と；を備える、
共同アカウントのための承認方法。
【請求項２】
前記共同アカウントのユーザ側認証パラメータを取得する前記ステップは：
前記共同アカウントの前記ユーザ側認証パラメータと前記ネットワーク側認証パラメータとを取得するステップと；
前記ネットワーク側認証パラメータをサーバへアップロードするステップと；を備える、
請求項１に記載の承認方法。
【請求項３】
前記ユーザ側認証パラメータと前記ネットワーク側認証パラメータとは、非対称暗号化アルゴリズムの秘密鍵と公開鍵とを含む、
請求項２に記載の承認方法。
【請求項４】
前記共同アカウントのユーザ側認証パラメータを取得する前記ステップは：
サーバによって生成された前記ユーザ側認証パラメータを前記サーバから受信するステップ；を備える、
請求項１に記載の承認方法。
【請求項５】
前記ユーザ側認証パラメータをＮ個の部分に分割し、各部分に基づいて、対応する共同管理認証パラメータを生成する前記ステップは：
前記ユーザ側認証パラメータをＮ個のセグメントに分割するステップと；
各セグメント及び対応するセグメントシーケンス番号を１つの共同管理認証パラメータとして用いるステップと；を備える、
請求項１に記載の承認方法。
【請求項６】
各共同管理者により管理される前記デバイスは、各共同管理者の近距離無線通信（ＮＦＣ）チップを含む、
請求項１に記載の承認方法。
【請求項７】
請求項１〜請求項６のいずれか１項に記載の方法に従って動作を実行するように構成された、複数のユニットを備える、
認証デバイス。
【請求項８】
共同アカウントのための承認方法であって、サーバに適用され、前記共同アカウントはＮ人の共同管理者によって共同管理され、Ｎは１より大きい自然数であり：
前記共同アカウントのユーザ側認証パラメータとネットワーク側認証パラメータとを取得し、前記ネットワーク側認証パラメータを格納するステップであって、前記ユーザ側認証パラメータは、前記ネットワーク側認証パラメータと同一又は対応しており、前記共同アカウントのための操作許可に対して認証を実行するために用いられる、前記格納するステップ（３１０）と；
前記ユーザ側認証パラメータをＮ個の部分に分割するステップと；
各部分に基づいて、対応する共同管理認証パラメータを生成するステップと；
異なる共同管理者のクライアントソフトウェアへ、共同管理認証パラメータを別々に送信するステップ（３２０）と；を備える、
共同アカウントのための承認方法。
【請求項９】
前記ユーザ側認証パラメータをＮ個の部分に分割し、各部分に基づいて、対応する共同管理認証パラメータを生成する前記ステップは：
前記ユーザ側認証パラメータをＮ個のセグメントに分割するステップと；
各セグメント及び対応するセグメントシーケンス番号を１つの共同管理認証パラメータとして用いるステップと；を備える、
請求項８に記載の承認方法。
【請求項１０】
前記共同アカウントのユーザ側認証パラメータとネットワーク側認証パラメータとを取得する前記ステップは：
所定のアルゴリズムに基づいて対称鍵又はパスワードを生成するステップと；
前記対称鍵又はパスワードを前記ユーザ側認証パラメータと前記ネットワーク側認証パラメータとして用いるステップと；を備える、
請求項８に記載の承認方法。
【請求項１１】
共同アカウントのための承認方法であって、前記共同アカウントの共同管理者のクライアントソフトウェアに適用され、前記共同アカウントはＮ人の共同管理者によって共同管理され、Ｎは１より大きい自然数であり：
サーバによって送信される共同管理認証パラメータを受信するステップであって、前記共同管理認証パラメータは、前記サーバがユーザ側認証パラメータをＮ個の部分に分割した後に１つの部分に基づいて生成され、前記ユーザ側認証パラメータは前記共同アカウントのための操作許可に対して認証を実行するために用いられる、前記受信するステップ（４１０）と；
前記共同管理認証パラメータを格納するステップ（４２０）と；を備える、
共同アカウントのための承認方法。
【請求項１２】
前記共同管理認証パラメータは、前記ユーザ側認証パラメータのＮ個のセグメントの１つ及び対応するセグメントシーケンス番号を含む、
請求項１１に記載の承認方法。
【請求項１３】
前記共同管理認証パラメータを格納する前記ステップは：
前記共同管理認証パラメータを、前記クライアントソフトウェアを含むデバイスに格納するステップ；又は、
前記共同管理認証パラメータを、前記クライアントソフトウェアを含むデバイスから分離した記憶媒体に格納するステップ；を備える、
請求項１１に記載の承認方法。
【請求項１４】
請求項８〜請求項１０のいずれか１項に記載の方法に従って動作を実行するように構成された、複数のユニットを備える、
認証デバイス。
【請求項１５】
請求項１１〜請求項１３のいずれか１項に記載の方法に従って動作を実行するように構成された、複数のユニットを備える、
認証デバイス。
【請求項１６】
共同アカウントのための認証方法であって、クライアントソフトウェアに適用され、前記共同アカウントはＮ人の共同管理者によって共同管理され、Ｎは１より大きい自然数であり：
前記共同アカウントのＮ個の共同管理認証パラメータを取得するステップ（６１０）と；
各共同管理認証パラメータに基づいてユーザ側認証パラメータの１つの部分を復元するステップと；
Ｎ個の部分を前記ユーザ側認証パラメータとして結合するステップ（６２０）と；
前記ユーザ側認証パラメータを用いてサーバへの認証要求を開始するステップであって、前記サーバはネットワーク側認証パラメータに基づいて前記共同アカウントのための操作許可に対して認証を実行し、前記ネットワーク側認証パラメータは前記ユーザ側認証パラメータと同一又は対応する、前記開始するステップ（６３０）と；を備える、
共同アカウントのための認証方法。
【請求項１７】
前記共同アカウントのＮ個の共同管理認証パラメータを取得する前記ステップは：
前記Ｎ人の共同管理者のクライアントソフトウェアを含むデバイスから前記共同アカウントの前記Ｎ個の共同管理認証パラメータを取得するステップ；又は、
前記Ｎ人の共同管理者の記憶媒体から前記共同アカウントの前記Ｎ個の共同管理認証パラメータを読み取るステップ；を備える、
請求項１６に記載の承認方法。
【請求項１８】
前記Ｎ人の共同管理者の前記記憶媒体は、各共同管理者の近距離無線通信（ＮＦＣ）チップを含む、
請求項１７に記載の承認方法。
【請求項１９】
各共同管理認証パラメータに基づいてユーザ側認証パラメータの１つの部分を復元し、Ｎ個の部分を前記ユーザ側認証パラメータとして結合する前記ステップは：
各共同管理認証パラメータに基づいて前記ユーザ側認証パラメータの１つのセグメント及び対応するセグメントシーケンス番号を復元するステップと；
前記ユーザ側認証パラメータを取得するために、対応するセグメントシーケンス番号に基づいてＮ個のセグメントを連結するステップと；を備える、
請求項１６に記載の承認方法。
【請求項２０】
前記ユーザ側認証パラメータと前記ネットワーク側認証パラメータとは、非対称暗号化アルゴリズムの秘密鍵及び公開鍵を含み；
前記ユーザ側認証パラメータを用いてサーバへの認証要求を開始するステップであって、前記サーバが、ネットワーク側認証パラメータに基づいて前記共同アカウントのための操作許可に対して認証を実行する、前記開始するステップは：
前記秘密鍵を用いて前記サーバに対して開始された前記認証要求に対してデジタル署名を実行するステップであって、前記サーバが、前記公開鍵を用いて前記認証要求に対して署名認証を実行する、前記実行するステップ；を備える、
請求項１６に記載の承認方法。
【請求項２１】
請求項１６〜請求項２０のいずれか１項に記載の方法に従って動作を実行するように構成された、複数のユニットを備える、
認証デバイス。
【請求項２２】
共同アカウントのための認証方法であって、サーバに適用され、前記共同アカウントはＮ人の共同管理者によって共同管理され、Ｎは１より大きい自然数であり：
クライアントソフトウェアによってアップロードされたＮ個の共同管理認証パラメータを受信するステップ（７１０）と；
各共同管理認証パラメータに基づいてユーザ側認証パラメータの１つの部分を復元するステップと；
Ｎ個の部分を前記ユーザ側認証パラメータとして結合するステップ（７２０）と；
ネットワーク側認証パラメータに基づいて前記共同アカウントの操作許可に対して認証を実行するステップであって、前記ネットワーク側認証パラメータは前記ユーザ側認証パラメータと同一又は対応する、前記実行するステップ（７３０）と；を備える、
共同アカウントのための認証方法。
【請求項２３】
各共同管理認証パラメータに基づいてユーザ側認証パラメータの１つの部分を復元し、Ｎ個の部分を前記ユーザ側認証パラメータとして結合する前記ステップは：
各共同管理認証パラメータに基づいて前記ユーザ側認証パラメータの１つのセグメント及び対応するセグメントシーケンス番号を復元するステップと；
前記ユーザ側認証パラメータを取得するために、対応するセグメントシーケンス番号に基づいてＮ個のセグメントを連結するステップと；を備える、
請求項２２に記載の承認方法。
【請求項２４】
クライアントソフトウェアによってアップロードされたＮ個の共同管理認証パラメータを受信する前記ステップは：
前記Ｎ人の共同管理者のクライアントソフトウェアによってそれぞれアップロードされた前記Ｎ個の共同管理認証パラメータを受信するステップ；を備える、
請求項２２に記載の承認方法。
【請求項２５】
共同管理者のクライアントソフトウェアによって送信された共同アカウント操作要求を受信するステップであって、前記共同アカウント操作要求は操作内容を含む、前記受信するステップと；
共同管理認証パラメータアップロード要求を（Ｎ−１）人の他の共同管理者のクライアントソフトウェアへ送信するステップであって、前記共同管理認証パラメータアップロード要求は前記操作内容を含む、前記送信するステップと；を更に備える、
請求項２２に記載の承認方法。
【請求項２６】
請求項２２〜請求項２５のいずれか１項に記載の方法に従って動作を実行するように構成された、複数のユニットを備える、
認証デバイス。
【請求項２７】
共同アカウントのための認証方法であって、クライアントソフトウェアに適用され、前記共同アカウントはＮ人の共同管理者によって共同管理され、Ｎは１より大きい自然数であり：
共同管理者の共同管理認証パラメータを取得するステップ（８１０）と；
前記共同管理認証パラメータをサーバへアップロードするステップであって、前記サーバは前記共同管理認証パラメータに基づいてユーザ側認証パラメータの１つの部分を復元し、前記部分を（Ｎ−１）個の他の部分と結合して前記ユーザ側認証パラメータとし、次いで前記ユーザ側認証パラメータと同一又は対応するネットワーク側認証パラメータを用いて、前記共同アカウントの操作許可に対して認証を実行する、前記アップロードするステップ（８２０）と；を備える、
共同アカウントのための認証方法。
【請求項２８】
共同管理者の共同管理認証パラメータを取得する前記ステップは：
前記共同管理者のクライアントソフトウェアを含むデバイスから前記共同管理認証パラメータを取得するステップ；又は、
前記共同管理者の記憶媒体から前記共同管理認証パラメータを読み取るステップ；を備える、
請求項２７に記載の承認方法。
【請求項２９】
共同アカウント操作要求を前記サーバへ送信するステップであって、前記共同アカウント操作要求は操作内容を含む、前記送信するステップ；を更に備える、
請求項２７に記載の承認方法。
【請求項３０】
前記サーバによって送信された共同管理認証パラメータアップロード要求を受信するステップであって、前記共同管理認証パラメータアップロード要求は前記共同管理者によって開始された共同アカウント操作要求における操作内容を含む、前記受信するステップ；を更に備え、
前記共同管理認証パラメータをサーバへアップロードする前記ステップは：
前記共同管理認証パラメータアップロード要求に応じて前記共同管理認証パラメータを前記サーバへアップロードするステップ；を備える、
請求項２７に記載の承認方法。
【請求項３１】
請求項２７〜請求項３０のいずれか１項に記載の方法に従って動作を実行するように構成された、複数のユニットを備える、
認証デバイス。
【手続補正２】
【補正対象書類名】明細書
【補正対象項目名】０１２１
【補正方法】変更
【補正の内容】
【０１２１】
当業者は、本願の実施が、方法、システム、又はコンピュータプログラム製品として提供され得ることを理解すべきである。したがって、本願は、ハードウェアのみの実施、ソフトウェアのみの実施、又はソフトウェアとハードウェアの組み合わせを有する実施の形態を使用することができる。また、本願は、コンピュータ使用可能なプログラムコードを含む、１つ又は複数のコンピュータ使用可能記憶媒体（磁気ディスク記憶装置、ＣＤ−ＲＯＭ、光学メモリ等を含むがこれに限定されない）上で実施されるコンピュータプログラム製品の形態を使用できる。
［第１の局面］
共同アカウントのための承認方法であって、クライアントソフトウェアに適用され、前記共同アカウントはＮ人の共同管理者によって共同管理され、Ｎは１より大きい自然数であり：
前記共同アカウントのユーザ側認証パラメータを取得するステップであって、前記共同アカウントの前記ユーザ側認証パラメータは、ネットワーク側認証パラメータと同一又は対応しており、前記共同アカウントのための操作許可に対して認証を実行するために用いられる、前記取得するステップと；
前記ユーザ側認証パラメータをＮ個の部分に分割し、各部分に基づいて、対応する共同管理認証パラメータを生成するステップと；
各共同管理者により管理されるデバイスに、各共同管理認証パラメータを書き込むステップと；を備える、
共同アカウントのための承認方法。
［第２の局面］
前記共同アカウントのユーザ側認証パラメータを取得する前記ステップは：
前記共同アカウントの前記ユーザ側認証パラメータと前記ネットワーク側認証パラメータとを取得し、前記ネットワーク側認証パラメータをサーバへアップロードするステップを備える、
第１の局面に記載の方法。
［第３の局面］
前記ユーザ側認証パラメータと前記ネットワーク側認証パラメータとは、非対称暗号化アルゴリズムの秘密鍵と公開鍵とを含む、
第２の局面に記載の方法。
［第４の局面］
前記共同アカウントのユーザ側認証パラメータを取得する前記ステップは：
サーバによって生成された前記ユーザ側認証パラメータを前記サーバから受信するステップを備える、
第１の局面に記載の方法。
［第５の局面］
前記ユーザ側認証パラメータをＮ個の部分に分割し、各部分に基づいて、対応する共同管理認証パラメータを生成する前記ステップは：
前記ユーザ側認証パラメータをＮ個のセグメントに分割し、各セグメント及び対応するセグメントシーケンス番号を１つの共同管理認証パラメータとして用いるステップを備える、
第１の局面に記載の方法。
［第６の局面］
各共同管理者によって管理される前記デバイスは、各共同管理者の近距離無線通信（ＮＦＣ）チップを含む、
第１の局面に記載の方法。
［第７の局面］
サーバに適用される共同アカウントのための承認方法であって、前記共同アカウントはＮ人の共同管理者によって共同管理され、Ｎは１より大きい自然数であり：
前記共同アカウントのユーザ側認証パラメータとネットワーク側認証パラメータとを取得し、前記ネットワーク側認証パラメータを格納するステップであって、前記ユーザ側認証パラメータは、前記ネットワーク側認証パラメータと同一又は対応し、前記共同アカウントのための操作許可に対して認証を実行するために用いられる、前記格納するステップと；
前記ユーザ側認証パラメータをＮ個の部分に分割し、各部分に基づいて対応する共同管理認証パラメータを生成するステップと；
異なる共同管理者のクライアントソフトウェアへ共同管理認証パラメータを別々に送信するステップと；を備える、
サーバに適用される共同アカウントのための承認方法。
［第８の局面］
前記ユーザ側認証パラメータをＮ個の部分に分割し、各部分に基づいて対応する共同管理認証パラメータを生成する前記ステップは：
前記ユーザ側認証パラメータをＮ個のセグメントに分割し、各セグメント及び対応するセグメントシーケンス番号を一つの共同管理認証パラメータとして用いるステップを備える、
第７の局面に記載の方法。
［第９の局面］
前記共同アカウントのユーザ側認証パラメータとネットワーク側認証パラメータとを取得する前記ステップは：
所定のアルゴリズムに基づいて対称鍵又はパスワードを生成し、前記対称鍵又はパスワードを前記ユーザ側認証パラメータと前記ネットワーク側認証パラメータとして用いるステップを備える、
第７の局面に記載の方法。
［第１０の局面］
共同アカウントのための承認方法であって、前記共同アカウントの共同管理者のクライアントソフトウェアに適用され、前記共同アカウントはＮ人の共同管理者によって共同管理され、Ｎは１より大きい自然数であり：
サーバによって送信される共同管理認証パラメータを受信するステップであって、前記共同管理認証パラメータは、前記サーバがユーザ側認証パラメータをＮ個の部分に分割した後に１つの部分に基づいて生成され、前記ユーザ側認証パラメータは前記共同アカウントのための操作許可に対して認証を実行するために用いられる、前記受信するステップと；
前記共同管理認証パラメータを格納するステップと；を備える、
共同アカウントのための承認方法。
［第１１の局面］
前記共同管理認証パラメータは、前記ユーザ側認証パラメータのＮ個のセグメントの１つ及び対応するセグメントシーケンス番号を含む、
第１０の局面に記載の方法。
［第１２の局面］
前記共同管理認証パラメータを格納する前記ステップは：
前記共同管理認証パラメータを、前記クライアントソフトウェアを含むデバイスに格納するステップ；又は、
前記共同管理認証パラメータを、前記クライアントソフトウェアを含むデバイスから分離した記憶媒体に格納するステップ；を備える、
第１０の局面に記載の方法。
［第１３の局面］
共同アカウントのための認証方法であって、クライアントソフトウェアに適用され、前記共同アカウントはＮ人の共同管理者によって共同管理され、Ｎは１より大きい自然数であり：
前記共同アカウントのＮ個の共同管理認証パラメータを取得するステップと；
各共同管理認証パラメータに基づいてユーザ側認証パラメータの１つの部分を復元し、Ｎ個の部分を前記ユーザ側認証パラメータとして結合するステップと；
前記ユーザ側認証パラメータを用いてサーバへの認証要求を開始するステップであって、それにより、前記サーバはネットワーク側認証パラメータに基づいて前記共同アカウントのための操作許可に対して認証を実行し、前記ネットワーク側認証パラメータは前記ユーザ側認証パラメータと同一又は対応する、前記開始するステップと；を備える、
共同アカウントのための認証方法。
［第１４の局面］
前記共同アカウントのＮ個の共同管理認証パラメータを取得する前記ステップは：
前記Ｎ人の共同管理者のクライアントソフトウェアを含むデバイスから前記共同アカウントの前記Ｎ個の共同管理認証パラメータを取得するステップ；又は、
前記Ｎ人の共同管理者の記憶媒体から前記共同アカウントの前記Ｎ個の共同管理認証パラメータを読み取るステップ；を備える、
第１３の局面に記載の方法。
［第１５の局面］
前記Ｎ人の共同管理者の前記記憶媒体は、各共同管理者の近距離無線通信（ＮＦＣ）チップを含む、
第１４の局面に記載の方法。
［第１６の局面］
各共同管理認証パラメータに基づいてユーザ側認証パラメータの１つの部分を復元し、Ｎ個の部分を前記ユーザ側認証パラメータとして結合する前記ステップは：
各共同管理認証パラメータに基づいて前記ユーザ側認証パラメータの１つのセグメント及び対応するセグメントシーケンス番号を復元し、前記ユーザ側認証パラメータを取得するために、対応するセグメントシーケンス番号に基づいてＮ個のセグメントを連結するステップを備える、
第１３の局面に記載の方法。
［第１７の局面］
前記ユーザ側認証パラメータと前記ネットワーク側認証パラメータとは、非対称暗号化アルゴリズムの秘密鍵及び公開鍵を含み；
前記ユーザ側認証パラメータを用いてサーバへの認証要求を開始するステップであって、それにより、前記サーバが、ネットワーク側認証パラメータに基づいて前記共同アカウントのための操作許可に対して認証を実行する、前記開始するステップは：
前記秘密鍵を用いて前記サーバ対して開始された前記認証要求に対してデジタル署名を実行し、それにより、前記サーバが、前記公開鍵を用いて前記認証要求に対して署名認証を実行するステップを備える、
第１３の局面に記載の方法。
［第１８の局面］
共同アカウントのための認証方法であって、サーバに適用され、前記共同アカウントはＮ人の共同管理者によって共同管理され、Ｎは１より大きい自然数であり：
クライアントソフトウェアよってアップロードされたＮ個の共同管理認証パラメータを受信するステップと；
各共同管理認証パラメータに基づいてユーザ側認証パラメータの１つの部分を復元し、Ｎ個の部分を前記ユーザ側認証パラメータとして結合するステップと；
ネットワーク側認証パラメータに基づいて前記共同アカウントの操作許可に対して認証を実行するステップであって、前記ネットワーク側認証パラメータは前記ユーザ側認証パラメータと同一又は対応する、前記実行するステップと；を備える、
共同アカウントのための認証方法。
［第１９の局面］
各共同管理認証パラメータに基づいてユーザ側認証パラメータの１つの部分を復元し、Ｎ個の部分を前記ユーザ側認証パラメータとして結合する前記ステップは：
各共同管理認証パラメータに基づいて前記ユーザ側認証パラメータの１つのセグメント及び対応するセグメントシーケンス番号を復元し、前記ユーザ側認証パラメータを取得するために、対応するセグメントシーケンス番号に基づいてＮ個のセグメントを連結するステップを備える、
第１８の局面に記載の方法。
［第２０の局面］
クライアントソフトウェアによってアップロードされるＮ個の共同管理認証パラメータを受信する前記ステップは：
前記Ｎ人の共同管理者のクライアントソフトウェアによってそれぞれアップロードされた前記Ｎ個の共同管理認証パラメータを受信するステップを備える、
第１８の局面に記載の方法。
［第２１の局面］
共同管理者のクライアントソフトウェアによって送信された共同アカウント操作要求を受信するステップであって、前記共同アカウント操作要求は操作内容を含む、前記受信するステップと；
共同管理認証パラメータアップロード要求を（Ｎ−１）人の他の共同管理者のクライアントソフトウェアへ送信するステップであって、前記共同管理認証パラメータアップロード要求は前記操作内容を含む、前記送信するステップと；を更に備える、
第１８の局面に記載の方法。
［第２２の局面］
共同アカウントのための認証方法であって、クライアントソフトウェアに適用され、前記共同アカウントはＮ人の共同管理者によって共同管理され、Ｎは１より大きい自然数であり：
共同管理者の共同管理認証パラメータを取得するステップと；
前記共同管理認証パラメータをサーバへアップロードするステップであって、それにより、前記サーバは前記共同管理認証パラメータに基づいてユーザ側認証パラメータの１つの部分を復元し、前記部分を（Ｎ−１）個の他の部分と結合して前記ユーザ側認証パラメータとし、次いで前記ユーザ側認証パラメータと同一又は対応するネットワーク側認証パラメータを用いて、前記共同アカウントの操作許可に対して認証を実行する、前記アップロードするステップと；を備える、
共同アカウントのための認証方法。
［第２３の局面］
共同管理者の共同管理認証パラメータを取得する前記ステップは：
前記共同管理者のクライアントソフトウェアを含むデバイスから前記共同管理認証パラメータを取得するステップ；又は、
前記共同管理者の記憶媒体から前記共同管理認証パラメータを読み取るステップ；を備える、
第２２の局面に記載の方法。
［第２４の局面］
共同アカウント操作要求を前記サーバへ送信するステップであって、前記共同アカウント操作要求は操作内容を含む、前記送信するステップを更に備える、
第２２の局面に記載の方法。
［第２５の局面］
前記サーバによって送信された共同管理認証パラメータアップロード要求を受信するステップであって、前記共同管理認証パラメータアップロード要求は前記共同管理者によって開始された共同アカウント操作要求における操作内容を含む、前記受信するステップを更に備え；
前記共同管理認証パラメータをサーバへアップロードする前記ステップは：
前記共同管理認証パラメータアップロード要求に応じて前記共同管理認証パラメータを前記サーバへアップロードするステップを備える、
第２２の局面に記載の方法。
［第２６の局面］
共同アカウントのための承認デバイスであって、クライアントソフトウェアに適用され、前記共同アカウントはＮ人の共同管理者によって共同管理され、Ｎは１より大きい自然数であり：
前記共同アカウントのユーザ側認証パラメータを取得するように構成されたユーザ側パラメータ取得ユニットであって、前記ユーザ側認証パラメータは、前記共同アカウントのネットワーク側認証パラメータと同一又は対応し、前記共同アカウントのための操作許可に対して認証を実行するために用いられる、前記ユーザ側パラメータ取得ユニットと；
前記ユーザ側認証パラメータをＮ個の部分に分割し、各部分に基づいて対応する共同管理認証パラメータを生成し、各共同管理者が管理するデバイスに各共同管理認証パラメータを書き込むように構成された共同管理パラメータ書き込みユニットと；を備える、
共同アカウントのための承認デバイス。
［第２７の局面］
前記ユーザ側パラメータ取得ユニットは、前記共同アカウントの前記ユーザ側認証パラメータと前記ネットワーク側認証パラメータとを生成し、サーバへ前記ネットワーク側認証パラメータをアップロードするように構成された、
第２６の局面に記載のデバイス。
［第２８の局面］
前記ユーザ側認証パラメータと前記ネットワーク側認証パラメータとは、非対称暗号化アルゴリズムの秘密鍵と公開鍵とを含む、
第２７の局面に記載のデバイス。
［第２９の局面］
前記ユーザ側パラメータ取得ユニットは、サーバによって生成された前記ユーザ側認証パラメータを前記サーバから取得するように構成された、
第２６の局面に記載のデバイス。
［第３０の局面］
前記共同管理パラメータ書き込みユニットは、前記ユーザ側認証パラメータをＮ個のセグメントに分割し、各セグメント及び１つの対応するセグメントシーケンス番号を１つの共同管理認証パラメータとして用いて、各共同管理者によって管理される前記デバイスに各共同管理認証パラメータを書き込むように構成された、
第２６の局面に記載のデバイス。
［第３１の局面］
各共同管理者によって管理される前記デバイスは、各共同管理者の近距離無線通信（ＮＦＣ）チップを備える、
第２６の局面に記載のデバイス。
［第３２の局面］
共同アカウントのための承認デバイスであって、サーバに適用され、前記共同アカウントはＮ人の共同管理者によって共同管理され、Ｎは１より大きい自然数であり：
前記共同アカウントのユーザ側認証パラメータとネットワーク側認証パラメータとを取得し、前記ネットワーク側認証パラメータを格納するように構成された認証パラメータ取得ユニットであって、前記ユーザ側認証パラメータは、前記ネットワーク側認証パラメータと同一又は対応し、前記共同アカウントのための操作許可に対して認証を実行するために用いられる、前記認証パラメータ取得ユニットと；
前記ユーザ側認証パラメータをＮ個の部分に分割し、各部分に基づいて対応する共同管理認証パラメータを生成し、異なる共同管理者のクライアントソフトウェアへ前記共同管理認証パラメータを別々に送信するように構成された共同管理パラメータデリバリユニットと；を備える、
共同アカウントのための承認デバイス。
［第３３の局面］
前記共同管理パラメータデリバリユニットは、前記ユーザ側認証パラメータをＮ個のセグメントに分割し、各セグメント及び１つの対応するセグメントシーケンス番号を１つの共同管理認証パラメータとして用いて、前記異なる共同管理者の前記クライアントソフトウェアへ前記共同管理認証パラメータを別々に送信するように構成された、
第３２の局面に記載のデバイス。
［第３４の局面］
前記認証パラメータ取得ユニットは、所定のアルゴリズムに基づいて対称鍵又はパスワードを生成し、前記対称鍵又はパスワードを前記ユーザ側認証パラメータと前記ネットワーク側認証パラメータとして用いるように構成された、
第３２の局面に記載のデバイス。
［第３５の局面］
共同アカウントのための承認デバイスであって、共同アカウントの共同管理者のクライアントソフトウェアに適用され、前記共同アカウントはＮ人の共同管理者によって共同管理され、Ｎは１より大きい自然数であり：
サーバによって送信される共同管理認証パラメータを受信するように構成された共同管理パラメータ受信ユニットであって、前記共同管理認証パラメータは、前記サーバがユーザ側認証パラメータをＮ個の部分に分割した後に１つの部分に基づいて生成され、前記ユーザ側認証パラメータは前記共同アカウントのための操作許可に対して認証を実行するために用いられる、前記共同管理パラメータ受信ユニットと；
前記共同管理認証パラメータを格納するように構成された、共同管理パラメータ記憶ユニットと；を備える、
共同アカウントのための承認デバイス。
［第３６の局面］
前記共同管理認証パラメータは、前記ユーザ側認証パラメータのＮ個のセグメントの１つ及び１つの対応するセグメントシーケンス番号を含む、
第３５の局面に記載のデバイス。
［第３７の局面］
前記共同管理パラメータ記憶ユニットは：
前記クライアントソフトウェアを含むデバイスに前記共同管理認証パラメータを格納するように構成された；又は、
前記クライアントソフトウェアを含むデバイスから分離した記憶媒体に前記共同管理認証パラメータを格納するように構成された、
第３５の局面に記載のデバイス。
［第３８の局面］
共同アカウントのための認証デバイスであって、クライアントソフトウェアに適用され、前記共同アカウントはＮ人の共同管理者によって共同管理され、Ｎは１より大きい自然数であり：
前記共同アカウントのＮ個の共同管理認証パラメータを取得するように構成された共同管理パラメータ取得ユニットと；
各共同管理認証パラメータに基づいてユーザ側認証パラメータの１つの部分を復元し、Ｎ個の部分を前記ユーザ側認証パラメータとして結合するように構成されたユーザ側パラメータ結合ユニットと；
前記ユーザ側認証パラメータを用いてサーバへの認証要求を開始するように構成された認証要求開始ユニットであって、それにより前記サーバは、ネットワーク側認証パラメータに基づいて前記共同アカウントの操作許可に対して認証を実行し、前記ネットワーク側認証パラメータは前記ユーザ側認証パラメータと同一又は対応する、前記認証要求開始ユニットと；を備える、
共同アカウントのための認証デバイス。
［第３９の局面］
前記共同管理パラメータ取得ユニットは：
前記Ｎ人の共同管理者のクライアントソフトウェアを含むデバイスから前記共同アカウントの前記Ｎ個の共同管理認証パラメータを取得するように構成された；又は、
前記Ｎ人の共同管理者の記憶媒体から前記共同アカウントの前記Ｎ個の共同管理認証パラメータを読み取るように構成された；
第３８の局面に記載のデバイス。
［第４０の局面］
前記Ｎ人の共同管理者の前記記憶媒体は、各共同管理者の近距離無線通信（ＮＦＣ）チップを含む、
第３９の局面に記載のデバイス。
［第４１の局面］
前記ユーザ側パラメータ結合ユニットは、各共同管理認証パラメータに基づいて前記ユーザ側認証パラメータの１つのセグメント及び対応するセグメントシーケンス番号を復元し、前記ユーザ側認証パラメータを取得するために、対応するセグメントシーケンス番号に基づいてＮ個のセグメントを連結するように構成された、
第３８の局面に記載のデバイス。
［第４２の局面］
前記ユーザ側認証パラメータと前記ネットワーク側認証パラメータとは、非対称暗号化アルゴリズムの秘密鍵と公開鍵とを含み；
前記認証要求開始ユニットは、前記秘密鍵を用いて前記サーバへの開始された前記認証要求に対してデジタル署名を実行するように構成され、それにより、前記サーバは前記公開鍵を用いて前記認証要求に対して署名認証を実行する、
第３８の局面に記載のデバイス。
［第４３の局面］
共同アカウントのための認証デバイスであって、サーバに適用され、前記共同アカウントはＮ人の共同管理者によって共同管理され、Ｎは１より大きい自然数であり：
クライアントソフトウェアによってアップロードされたＮ個の共同管理認証パラメータを受信するように構成された共同管理パラメータ受信ユニットと；
各共同管理認証パラメータに基づいてユーザ側認証パラメータの１つの部分を復元し、Ｎ個の部分を前記ユーザ側認証パラメータとして結合するように構成された、ユーザ側パラメータ結合ユニットと；
ネットワーク側認証パラメータに基づいて前記共同アカウントの操作許可に対して認証を実行するように構成された操作許可認証ユニットであって、前記ネットワーク側認証パラメータは前記ユーザ側認証パラメータと同一又は対応する、前記操作許可認証ユニットと；を備える、
共同アカウントのための認証デバイス。
［第４４の局面］
前記ユーザ側パラメータ結合ユニットは、各共同管理認証パラメータに基づいて前記ユーザ側認証パラメータの１つのセグメント及び対応するセグメントシーケンス番号を復元し、前記ユーザ側認証パラメータを取得するために、対応するセグメントシーケンス番号に基づいてＮ個のセグメントを連結するように構成された、
第４３の局面に記載のデバイス。
［第４５の局面］
前記共同管理パラメータ受信ユニットは、前記Ｎ人の共同管理者のクライアントソフトウェアによってそれぞれアップロードされた前記Ｎ個の共同管理認証パラメータを受信するように構成された、
第４３の局面に記載のデバイス。
［第４６の局面］
クライアントソフトウェアによって送信された共同アカウント操作要求を受信するように構成された操作要求受信ユニットであって、前記共同アカウント操作要求が操作内容を含む、前記操作要求受信ユニットと；
共同管理認証パラメータアップロード要求を（Ｎ−１）人の他の共同管理者のクライアントソフトウェアへ送信するように構成されたパラメータアップロード要求送信ユニットであって、前記共同管理認証パラメータアップロード要求は前記操作内容を含む、前記パラメータアップロード要求送信ユニットと；を更に備える、
第４３の局面に記載のデバイス。
［第４７の局面］
共同アカウントのための認証デバイスであって、クライアントソフトウェアに適用され、前記共同アカウントはＮ人の共同管理者によって共同管理され、Ｎは１より大きい自然数であり：
共同管理者の共同管理認証パラメータを取得するように構成された、単一の共同管理パラメータ取得ユニットと；
共同管理認証パラメータをサーバにアップロードするように構成され、それにより、前記サーバは前記共同管理認証パラメータに基づいてユーザ側認証パラメータの１つの部分を復元し、その部分を（Ｎ−１）個の他の部分と結合させて前記ユーザ側認証パラメータとし、次いで前記ユーザ側認証パラメータと同一又は対応するネットワーク側認証パラメータを用いて、前記共同アカウントのための操作許可に対して認証を実行する、共同管理パラメータアップロードユニットと；を備える、
共同アカウントのための認証デバイス。
［第４８の局面］
前記単一の共同管理パラメータ取得ユニットは：
前記共同管理者のクライアントソフトウェアを含むデバイスから前記共同管理認証パラメータを取得するように構成された；又は、
前記共同管理者の記憶媒体から前記共同管理認証パラメータを読み取るように構成された；
第４７の局面に記載のデバイス。
［第４９の局面］
共同アカウント操作要求を前記サーバへ送信するように構成された操作要求送信ユニットであって、前記共同アカウント操作要求が操作内容を含む、操作要求送信ユニットを更に備える、
第４７の局面に記載のデバイス。
［第５０の局面］
前記サーバによって送信された共同管理認証パラメータアップロード要求を受信するように構成されたパラメータアップロード要求受信ユニットであって、前記共同管理認証パラメータアップロード要求は前記共同管理者によって開始された共同アカウント操作要求における操作内容を含む、パラメータアップロード要求受信ユニットを更に備え、
前記共同管理パラメータアップロードユニットは、前記共同管理認証パラメータを、前記共同管理認証パラメータアップロード要求に応じて、前記サーバへアップロードするように構成された、
第４７の局面に記載のデバイス。
【手続補正３】
【補正対象書類名】図面
【補正対象項目名】図４
【補正方法】変更
【補正の内容】
【図４】
2019507559.tif 000001
【手続補正４】
【補正対象書類名】図面
【補正対象項目名】図６
【補正方法】変更
【補正の内容】
【図６】
2019507559.tif 000002